(57)【要約】【課題】  利用制限を設定する作業を簡略化することができる情報端末装置を提供する。【解決手段】  情報端末装置１は、アプリケーションプログラムを記憶するアプリ記憶部２１と、利用が制限されているアプリケーションプログラムのリストを記憶する制限アプリリスト記憶部２２と、リストに含まれるアプリケーションプログラムを実行するために付与されるポイントを記憶するポイント記憶部２３と、リストに含まれるアプリケーションプログラムの実行指令が与えられると、ポイント記憶部２３に記憶されているポイントに基づいて、該プログラムを実行することについての可否を判定し、実行可能であると判定された場合にのみ、該プログラムを起動するアプリ制御部２５と、リストに含まれるアプリケーションプログラムの起動処理および実行時間に応じて、ポイント記憶部２３に記憶されているポイントを減少させるポイント制御部２６とを備える。【選択図】      図２
2015135551.tif 000002
【特許請求の範囲】
【請求項１】
アプリケーションプログラムを記憶するアプリ記憶部と、
前記アプリ記憶部に記憶されているアプリケーションプログラムのうち、利用が制限されているアプリケーションプログラムのリストを記憶する制限アプリリスト記憶部と、
前記リストに含まれるアプリケーションプログラムを実行するために付与されるポイントを記憶するポイント記憶部と、
前記リストに含まれるアプリケーションプログラムの実行指令が与えられると、前記ポイント記憶部に記憶されているポイントに基づいて、該アプリケーションプログラムを実行することについての可否を判定し、実行可能であると判定された場合にのみ、該アプリケーションプログラムを起動するアプリ制御部と、
前記ポイント記憶部に記憶されているポイントを増減させるポイント制御部であって、前記リストに含まれるアプリケーションプログラムの起動処理および実行時間のうちの少なくともいずれか一方に応じて、前記ポイント記憶部に記憶されているポイントを減少させるポイント制御部とを備えることを特徴とする情報端末装置。
【請求項２】
外部の装置とデータを送受信する通信部をさらに備え、
前記ポイント制御部は、前記通信部が、外部の装置から、前記ポイント記憶部に記憶されているポイントを増加または減少させる旨の指令を受信すると、該指令に基づいて、前記ポイント記憶部に記憶されているポイントを増加または減少させることを特徴とする請求項１に記載の情報端末装置。
【請求項３】
前記アプリ記憶部に記憶されているアプリケーションプログラムのうち、実行された結果として評価点を出力するアプリケーションプログラムであって、前記ポイント記憶部に記憶されているポイントを増加させることが可能であるものとして予め定められたアプリケーションプログラムのリストを記憶するポイント増加アプリリスト記憶部をさらに備え、
前記ポイント制御部は、前記ポイント増加アプリリスト記憶部に記憶されているリストに含まれるアプリケーションプログラムが実行されることにより出力された評価点が、予め定める判定基準を満足していると判定すると、前記ポイント記憶部に記憶されているポイントを増加させることを特徴とする請求項１または２に記載の情報端末装置。
【発明の詳細な説明】
【技術分野】
【０００１】
本発明は、特定のアプリケーションの利用を制限する機能が搭載された情報端末装置に関する。
【背景技術】
【０００２】
近年、子供による特定のアプリケーションの利用を、その保護者が制限することができる機能、いわゆるペアレンタルコントロール機能が搭載された、スマートフォン、タブレット機器およびゲーム機器などの情報端末装置が普及している。
【０００３】
このようなペアレンタルコントロール機能に関する従来の技術が、たとえば特許文献１に開示されている。特許文献１に開示されている技術では、ＳＭＳ（ショートメッセージサービス）メッセージを利用して、子供の携帯電話において、特定のアプリケーションの利用制限を設定することが提案されている。この技術によれば、保護者は、自身の携帯電話から子供の携帯電話に向けて、特定のアプリケーションの利用制限を設定するためのＳＭＳメッセージを送信することで、子供の携帯電話において、特定のアプリケーションの利用制限を設定することができるので、子供の携帯電話を直接操作する必要がなくなり、利用制限の設定を容易に行うことができる。
【先行技術文献】
【特許文献】
【０００４】
【特許文献１】特許第５０４３４３１号公報
【発明の概要】
【発明が解決しようとする課題】
【０００５】
しかしながら、従来のペアレンタルコントロール機能では、特許文献１にも開示されているように、アプリケーションごとに、個別に利用回数や利用時間などといった利用制限の設定を行う必要がある。したがって、保護者にとっては、利用制限を設定したり、設定を変更したりする作業が面倒なものとなっている。
【０００６】
本発明の目的は、利用制限を設定する作業を簡略化することができる情報端末装置を提供することである。
【課題を解決するための手段】
【０００７】
本発明は、アプリケーションプログラムを記憶するアプリ記憶部と、
前記アプリ記憶部に記憶されているアプリケーションプログラムのうち、利用が制限されているアプリケーションプログラムのリストを記憶する制限アプリリスト記憶部と、
前記リストに含まれるアプリケーションプログラムを実行するために付与されるポイントを記憶するポイント記憶部と、
前記リストに含まれるアプリケーションプログラムの実行指令が与えられると、前記ポイント記憶部に記憶されているポイントに基づいて、該アプリケーションプログラムを実行することについての可否を判定し、実行可能であると判定された場合にのみ、該アプリケーションプログラムを起動するアプリ制御部と、
前記ポイント記憶部に記憶されているポイントを増減させるポイント制御部であって、前記リストに含まれるアプリケーションプログラムの起動処理および実行時間のうちの少なくともいずれか一方に応じて、前記ポイント記憶部に記憶されているポイントを減少させるポイント制御部とを備えることを特徴とする情報端末装置である。
【０００８】
また本発明は、外部の装置とデータを送受信する通信部をさらに備え、
前記ポイント制御部は、前記通信部が、外部の装置から、前記ポイント記憶部に記憶されているポイントを増加または減少させる旨の指令を受信すると、該指令に基づいて、前記ポイント記憶部に記憶されているポイントを増加または減少させることを特徴とする。
【０００９】
また本発明は、前記アプリ記憶部に記憶されているアプリケーションプログラムのうち、実行された結果として評価点を出力するアプリケーションプログラムであって、前記ポイント記憶部に記憶されているポイントを増加させることが可能であるものとして予め定められたアプリケーションプログラムのリストを記憶するポイント増加アプリリスト記憶部をさらに備え、
前記ポイント制御部は、前記ポイント増加アプリリスト記憶部に記憶されているリストに含まれるアプリケーションプログラムが実行されることにより出力された評価点が、予め定める判定基準を満足していると判定すると、前記ポイント記憶部に記憶されているポイントを増加させることを特徴とする。
【発明の効果】
【００１０】
本発明によれば、アプリケーションごとに、個別に利用回数や利用時間などの利用制限の設定を行う必要がなくなるので、利用制限を設定するための作業を簡略化することができる。
【図面の簡単な説明】
【００１１】
【図１】本発明の第１の実施形態に係る情報端末装置１のハードウェア構成を示すブロック図である。
【図２】本実施形態に係る情報端末装置１に搭載されるペアレンタルコントロール機能を説明するための機能ブロック図である。
【図３】情報端末装置１におけるアプリケーションの利用制限処理の処理手順を示すフローチャートである。
【図４】ポイント増加アプリリスト記憶部２４にリストアップされているアプリケーションのプログラムを実行したときのポイント増減処理の処理手順を示すフローチャートである。
【発明を実施するための形態】
【００１２】
（第１の実施形態）
図１は、本発明の第１の実施形態に係る情報端末装置１のハードウェア構成を示すブロック図である。情報端末装置１は、本実施形態ではスマートフォンによって実現されるものとし、図１に示すように、ＣＰＵ（Central Processing Unit）１１と、メモリ１２と、記憶媒体読取部１３と、表示部１４と、タッチパネル１５と、外部通信インタフェース１６と、機能制限管理部１７とを含んで構成される。
【００１３】
なお、情報端末装置１としては、スマートフォンに限らず、たとえば、タブレットＰＣ（Personal Computer）、フィーチャーフォン、ＰＨＳ（Personal Handy-phone System）端末、ＰＤＡ（Personal Digital Assistant）、パーソナルコンピュータ、および携帯ゲーム機などによって実現されてもよい。
【００１４】
ＣＰＵ１１には、ＢＵＳライン１９が接続されており、このＢＵＳライン１９には、メモリ１２、記憶媒体読取部１３、表示部１４、タッチパネル１５、外部通信インタフェース１６および機能制限管理部１７が電気的に接続される。
【００１５】
メモリ１２は、ＲＡＭ（Random Access Memory）と、フラッシュＲＯＭ（Flash Read Only Memory）とによって構成され、フラッシュＲＯＭには、ＯＳ（Operating System）、各種のアプリケーションのプログラムおよびデータ、ならびに、画像データなどのコンテンツデータが格納される。
【００１６】
記憶媒体読取部１３は、外部メモリとしての着脱可能な記憶媒体１８が挿し込まれるスロットを有し、該スロットに挿し込まれた記憶媒体１８に各種のデータやプログラムを書き込み、また記憶媒体１８に格納されているデータやプログラムを読み取る動作を実行する。記憶媒体１８は、たとえばＳＤカードによって実現され、記憶媒体読取部１３は、たとえばＳＤカードリーダライタによって実現される。前記のアプリケーションのプログラムおよびデータ、ならびに、コンテンツデータは、記憶媒体１８に格納されてもよい。
【００１７】
フラッシュＲＯＭまたは記憶媒体１８に格納されるアプリケーションのプログラムには、たとえば、ウェブブラウザアプリケーション、電子メールアプリケーション、電話アプリケーション、カメラアプリケーション、ゲームアプリケーション、コミュニケーションアプリケーション、および勉強アプリケーションなどのプログラムが含まれる。
【００１８】
表示部１４は、画像データに応じた画像を表示可能に構成され、たとえば液晶ディスプレイや有機ＥＬ（Electro-Luminescence）ディスプレイなどの表示装置によって実現される。
【００１９】
タッチパネル１５は、入力装置として機能し、表示部１４における画像の表示面を、ユーザが指やスタイラスによって接触操作したときの、該表示面上での接触位置の座標を検出し、検出された座標のデータを、ＣＰＵ１１に与える。このタッチパネル１５と表示部１４とにより、ユーザに対して対話的な操作インタフェースが提供される。
【００２０】
外部通信インタフェース１６は、他の情報端末装置などを含む外部の装置と通信するためのインタフェースとして機能し、本実施形態では、無線ＬＡＮ（Local Area Network）インタフェースおよびＢｌｕｅｔｏｏｔｈ（登録商標）インタフェースなどを含んで構成される。
【００２１】
機能制限管理部１７は、情報端末装置１において利用可能なアプリケーションのうちの特定のアプリケーションについて、その利用を制限する機能（以下、「ペアレンタルコントロール機能」と称する）を実行し、また管理する。利用を制限する方法については後述する。
【００２２】
なお、機能制限管理部１７が利用を制限することができるアプリケーションは、情報端末装置１に予めインストールされているアプリケーションに限らず、ユーザが、インターネットを介してダウンロードするなどによって取得したアプリケーションソフトウェアをインストールすることで利用可能になったものも含まれる。
【００２３】
機能制限管理部１７は、本実施形態では、ＦＰＧＡ（Field Programmable Gate Array）およびＡＳＩＣ（Application Specific Integrated Circuit）などの専用の集積回路によって実現される。なお、他の実施形態では、機能制限管理部１７は、後述するようなペアレンタルコントロール機能を実現するためのプログラムを、ＣＰＵ１１が実行することによって実現されてもよい。
【００２４】
ＣＰＵ１１は、メモリ１２あるいは記憶媒体１８に記憶されているＯＳおよび各種のアプリケーションのプログラムを実行することにより、情報端末装置１における各部の動作を制御する。
【００２５】
図２は、本実施形態に係る情報端末装置１に搭載されるペアレンタルコントロール機能を説明するための機能ブロック図である。図２では、情報端末装置１と通信可能に構成され、情報端末装置１に搭載されるペアレンタルコントロール機能を管理する機能が搭載された情報端末装置２を併せて示している。ここで、情報端末装置１は、アプリケーションの利用を管理される側の人間、たとえば子供によって所持され、情報端末装置２は、アプリケーションの利用を管理する側の人間、たとえば子供の保護者によって所持されることを想定している。
【００２６】
本実施形態に係る情報端末装置１は、図２に示すように、アプリ記憶部２１と、制限アプリリスト記憶部２２と、ポイント記憶部２３と、ポイント増加アプリリスト記憶部２４と、アプリ制御部２５と、ポイント制御部２６と、通信部２７とを含んで構成される。
【００２７】
アプリ記憶部２１は、メモリ１２および記憶媒体１８によって実現され、ゲームアプリケーション３１および勉強アプリケーション３２を含む、各種のアプリケーションのプログラムを記憶する。
【００２８】
制限アプリリスト記憶部２２は、情報端末装置１において利用可能なアプリケーションのうち、利用制限が設定されているアプリケーションのリスト（以下、「制限アプリリスト」と称する）を記憶する。ここで、情報端末装置１において利用可能なアプリケーションとは、アプリ記憶部２１にプログラムが実行可能な状態で記憶されているアプリケーションのことである。本実施形態では、この制限アプリリストには、ゲームアプリケーション３１がリストアップされているものとする。
【００２９】
なお、利用可能なアプリケーションのうちの１または複数のアプリケーションについて利用制限を設定する作業は、保護者が、情報端末装置１を直接操作し、利用を制限するアプリケーションを選択することによって行われてもよく、情報端末装置２を用い、利用を制限するアプリケーションを情報端末装置１へ通知することによって行われてもよい。前者の場合には、選択されたアプリケーションが制限アプリリストにリストアップされ、後者の場合には、通知されたアプリケーションが制限アプリリストにリストアップされる。利用制限を解除する作業も、利用制限を設定する作業と同様に行われる。
【００３０】
ポイント記憶部２３は、利用制限が設定されているアプリケーションのプログラムを実行するために付与されるポイントを記憶する。
【００３１】
ポイント増加アプリリスト記憶部２４は、情報端末装置１において利用可能なアプリケーションのうち、実行された結果として評価点を出力するアプリケーションであって、ポイント記憶部２３に記憶されているポイントを増加させることが可能であるとして予め定められたアプリケーションのリスト（以下、「ポイント増加アプリリスト」と称する）を記憶する。
【００３２】
また、ポイント増加アプリリスト記憶部２４には、アプリケーションごとに、出力される評価点についての良否を判定するための予め定める判定基準が、ポイント増加アプリリストと関連付けて記憶される。本実施形態では、このポイント増加アプリリストには、勉強アプリケーション３２がリストアップされているものとする。
【００３３】
なお、利用可能なアプリケーションのうちの１または複数のアプリケーションを、ポイント増加アプリリストにリストアップし、判定基準を設定する作業も、前記と同様に、保護者が、情報端末装置１を直接操作することによって行われてもよく、情報端末装置２を用いて情報端末装置１へ通知することによって行われてもよい。
【００３４】
ここで、勉強アプリケーション３２は、勉強に関するアプリケーションであり、たとえば、問題を試験形式でユーザに対して出題するように構成された勉強アプリケーション３２では、前記評価点として、試験結果の点数が出力されるものとする。この場合、ポイント増加アプリリスト記憶部２４には、試験結果の点数の良否を判定するための予め設定された点数が、前記判定基準として記憶される。
【００３５】
また、ユーザに対して問題を出力するような形式ではない勉強アプリケーション３２であれば、前記評価点として、たとえば、当該アプリケーションの利用時間、すなわち勉強時間が出力され、この場合には、勉強の良否を判定するための予め設定された時間が、前記判定基準としてポイント増加アプリリスト記憶部２４に記憶される。
【００３６】
アプリ制御部２５は、利用制限が設定されているアプリケーションのプログラムの実行指令が、タッチパネル１５を介して入力されると、ポイント記憶部２３に記憶されているポイントに基づいて、そのアプリケーションのプログラムを実行することについての可否を判定する。
【００３７】
そして、アプリ制御部２５は、実行可能であると判定すると、そのアプリケーションのプログラムを起動する。これにより、そのアプリケーションがユーザにより利用可能となる。一方、実行不可能であると判定すると、そのアプリケーションのプログラムを起動しない。すなわち、この場合には、ユーザは、そのアプリケーションを利用することはできない。なお、プログラムを起動しない場合には、その旨を記述したメッセージを表示部１４に表示させるようにしてもよい。
【００３８】
また、アプリ制御部２５は、利用制限が設定されているアプリケーションのプログラムの実行中に、ポイント記憶部２３に記憶されているポイントを監視し、そのアプリケーションのプログラムの実行を継続することについての可否を判定する。
【００３９】
そして、アプリ制御部２５は、継続が不可能であると判定すると、実行中のアプリケーションを終了させる。これにより、ユーザは、そのアプリケーションをそれ以上利用することができなくなってしまう。なお、継続可能であると判定すると、アプリケーションの実行状態が維持される。
【００４０】
ポイント制御部２６は、ポイント記憶部２３に記憶されているポイントを増減させる処理を行う。具体的には、ポイント制御部２６は、利用制限が設定されているアプリケーションのプログラムがアプリ制御部２５によって起動されると、ポイント記憶部２３に記憶されているポイントを、所定のポイント数だけ減少させる。
【００４１】
さらに、ポイント制御部２６は、利用制限が設定されているアプリケーションのプログラムの実行時間に応じて、ポイント記憶部２３に記憶されているポイントを減少させる。詳細には、ポイント制御部２６は、一定時間（たとえば１５分）ごとに、ポイント記憶部２３に記憶されているポイントを、所定のポイント数だけ減少させる。
【００４２】
また、ポイント制御部２６は、一定の期間（たとえば１日または１週間）ごとに、ポイント記憶部２３に記憶されているポイントを、予め設定されたデフォルト値に回復させる。通信部２７は、外部の装置である情報端末装置２とデータを送受信する。
【００４３】
情報端末装置２は、たとえばスマートフォンによって実現され、情報端末装置１と同様に、ＣＰＵ、メモリ、記憶媒体読取部、表示部、タッチパネル、および外部通信インタフェースなどを含んで構成される。
【００４４】
本実施形態では、情報端末装置２には、情報端末装置１に搭載されるペアレンタルコントロール機能を管理するための管理アプリケーション３３のプログラムが格納されており、このプログラムを実行することで、通信部３４を介して、前記のような、利用を制限するアプリケーションの通知といった処理を行うことが可能になっている。
【００４５】
また、この管理アプリケーション３３のプログラムを実行することにより、情報端末装置１のポイント記憶部２３に記憶されているポイントを増減させることも可能になっている。具体的には、情報端末装置２は、通信部３４を介して、ポイント記憶部２３に記憶されているポイントを増加または減少させる旨の指令を、情報端末装置１に送信することができる。
【００４６】
この場合、情報端末装置１では、通信部２７が、ポイント記憶部２３に記憶されているポイントを増加または減少させる旨の指令を受信すると、ポイント制御部２６が、その指令に基づいて、ポイント記憶部２３に記憶されているポイントを増加または減少させる。
【００４７】
図３は、情報端末装置１におけるアプリケーションの利用制限処理の処理手順を示すフローチャートである。制限アプリリストにリストアップされているアプリケーションのプログラムの実行指令が、タッチパネル１５を介して入力されると、処理を開始し、ステップｓ１に進む。
【００４８】
ステップｓ１で、アプリ制御部２５は、ポイント記憶部２３に記憶されているポイントに基づいて、そのアプリケーションのプログラムを実行することについての可否を判定する。すなわち、アプリ制御部２５は、ポイント記憶部２３に記憶されているポイントが、そのアプリケーションのプログラムを起動するために必要な予め定めるポイント数以上の場合には、実行可能であると判定し、該予め定めるポイント数未満の場合には実行不可能であると判定する。実行可能であると判定すると、ステップｓ２に進み、実行不可能であると判定すると、そのアプリケーションのプログラムを実行することなく、処理を終了する。
【００４９】
ステップｓ２で、アプリ制御部２５は、そのアプリケーションのプログラムを起動し、ステップｓ３に進む。ステップｓ３で、ポイント制御部２６は、ポイント記憶部２３に記憶されているポイントを、起動するために必要な予め定めるポイント数だけ減少させて、ステップｓ４に進む。
【００５０】
ステップｓ４で、アプリ制御部２５は、そのアプリケーションのプログラムを起動した時点から一定時間が経過したか否かを判定し、経過した場合にのみステップｓ５に進む。
【００５１】
ステップｓ５で、アプリ制御部２５は、その時点でポイント記憶部２３に記憶されているポイントに基づいて、そのアプリケーションのプログラムの実行を継続することについての可否を判定する。すなわち、アプリ制御部２５は、ポイント記憶部２３に記憶されているポイントが、そのアプリケーションのプログラムを次の一定時間実行するために必要な予め定めるポイント数以上の場合には、継続可能であると判定し、該予め定めるポイント数未満の場合には継続不可能であると判定する。継続可能であると判定すると、ステップｓ６に進み、継続不可能であると判定すると、ステップｓ９に進む。
【００５２】
ステップｓ６で、ポイント制御部２６は、ポイント記憶部２３に記憶されているポイントを、次の一定時間実行するために必要な予め定めるポイント数だけ減少させて、ステップｓ７に進む。
【００５３】
ステップｓ７で、アプリ制御部２５は、実行中のアプリケーションを終了させる旨の指示が、タッチパネル１５を介して入力されたか否かを判定し、入力されていない場合にはステップｓ８に進み、入力された場合にはステップｓ９に進む。
【００５４】
ステップｓ８で、アプリ制御部２５は、前回一定時間が経過したか否かを判定した時点から、さらに一定時間が経過したか否かを判定し、経過した場合にのみステップｓ５に戻る。
【００５５】
ステップｓ９で、アプリ制御部２５は、実行中のアプリケーションを終了させて、処理を終了する。
【００５６】
図４は、ポイント増加アプリリスト記憶部２４にリストアップされているアプリケーションのプログラムを実行したときのポイント増減処理の処理手順を示すフローチャートである。
【００５７】
以下では、ポイント増加アプリリスト記憶部２４にリストアップされているアプリケーションのうち、問題を試験形式でユーザに対して出題するように構成された勉強アプリケーション３２が実行された場合を例に挙げて説明する。なお、ポイント増加アプリリスト記憶部２４には、この勉強アプリケーション３２に関連付けて、試験結果の点数の良否を判定するための点数として、合格点と必要最低点（ただし、合格点＞必要最低点）とが予め設定されて記憶されているものとする。
【００５８】
ユーザによって勉強アプリケーション３２が実行された結果として、試験結果の点数が出力されると、処理が開始されてステップｓ１１に進む。ステップｓ１１で、ポイント制御部２６は、出力された試験結果の点数と、ポイント増加アプリリストにおいて、その勉強アプリケーション３２に関連付けられている合格点とを比較する。比較の結果、試験結果の点数が合格点以上であればステップｓ１２に進み、合格点未満であればステップｓ１３に進む。
【００５９】
ステップｓ１２で、ポイント制御部２６は、ポイント記憶部２３に記憶されているポイントを、所定のポイント数だけ増加させて、処理を終了する。
【００６０】
ステップｓ１３で、ポイント制御部２６は、出力された試験結果の点数と、ポイント増加アプリリストにおいて、その勉強アプリケーション３２に関連付けられている必要最低点とを比較する。比較の結果、試験結果の点数が必要最低点未満であればステップｓ１４に進み、必要最低点以上であれば、ポイント記憶部２３に記憶されているポイントを増減させることなく、処理を終了する。
【００６１】
ステップｓ１４で、ポイント制御部２６は、ポイント記憶部２３に記憶されているポイントを、所定のポイント数だけ減少させて、処理を終了する。
【００６２】
以上のように、本実施形態によれば、ポイント記憶部２３に記憶されているポイントに基づいて、利用制限が設定されているアプリケーションのプログラムを実行することの可否を決定するように構成されているので、保護者は、利用可能なアプリケーションの中から利用を制限するアプリケーションを選択するだけでよく、従来技術のように、アプリケーションごとに、個別に利用回数や利用時間など利用制限に関する詳細な設定を行う必要がなくなるので、ペアレンタルコントロール機能を利用するための設定作業を簡略化することができる。
【００６３】
また、本実施形態によれば、保護者は、自身が所持する情報端末装置２を用いて、子供の情報端末装置１におけるポイント数を増減させることにより、利用制限の設定を一時的に厳しくしたり緩くしたりすることができるので、従来技術のように、アプリケーションごとに、個別に利用回数や利用時間などの利用制限の設定を変更する必要がなく、利用制限の設定を変更するための作業も簡略化することができる。
【００６４】
また、本実施形態によれば、情報端末装置１の所持者である子供は、ポイント増加アプリリストにリストアップされているアプリケーションのプログラムを実行することによって、ポイント記憶部２３に記憶されているポイントを増加させることができる。したがって、ポイント増加アプリリストに勉強アプリケーション３２をリストアップしておくことで、子供の勉強促進にも役立てることができる。
【００６５】
なお、本実施形態では、ポイント制御部２６は、利用制限が設定されているアプリケーションのプログラムの起動処理および実行時間の両方に応じて、ポイント記憶部２３に記憶されているポイントを減少させるように構成されているが、他の実施形態では、利用制限が設定されているアプリケーションのプログラムの起動処理および実行時間のいずれか一方に応じて、ポイント記憶部２３に記憶されているポイントを減少させるように構成してもよい。
【符号の説明】
【００６６】
１  情報端末装置
１１  ＣＰＵ
１２  メモリ
１３  記憶媒体読取部
１４  表示部
１５  タッチパネル
１６  外部通信インタフェース
１７  機能制限管理部
１８  記憶媒体
１９  ＢＵＳライン
２１  アプリ記憶部
２２  制限アプリリスト記憶部
２３  ポイント記憶部
２４  ポイント増加アプリリスト記憶部
２５  アプリ制御部
２６  ポイント制御部
２７  通信部
３１  ゲームアプリケーション
３２  勉強アプリケーション
【図１】
2015135551.tif 000003
【図２】
2015135551.tif 000004
【図３】
2015135551.tif 000005
【図４】
2015135551.tif 000006